(57)【特許請求の範囲】
【請求項１】
ｉ）中心の平面状の処理液層（３０）とｉｉ）熱制御流体が内部を流れる２つの外側の平面状の熱制御流体層（４０）とを各々が有する複数の流体モジュール（２０）と、
複数の照射モジュール（５０）と
を含むモジュール式光化学反応器システム（１０）であって、
前記複数の照射モジュール（５０）の各々が、第１および第２の主要な面（５２，５４）を有する平面状の形状を有し、前記複数の照射モジュール（５０）の各々が、前記第１の主要な面（５２）からまたは前記第１の主要な面（５２）を通して放射するよう配置されているとともに、前記流体モジュールの外側の平面状の熱制御流体層を通して前記流体モジュールの中心の平面状の処理液層に放射するよう配置された、可視波長および／またはＵＶ波長において放射可能な半導体エミッタ（７０）の少なくとも第１のアレイ（６０）を含み、該半導体エミッタ（７０）の第１のアレイ（６０）が、少なくとも、第１の中心波長において放射可能な第１のエミッタ（７２）および該第１の中心波長と異なる第２の中心波長において放射可能な第２のエミッタ（７４）を含む、モジュール式光化学反応器システム（１０）。
【請求項２】
前記第１のアレイ（６０）が、少なくとも、前記第１および第２の各中心波長とは異なる第３の中心波長において放射可能な第３のエミッタ（７６）を更に含む、請求項１記載のシステム（１０）。
【請求項３】
前記エミッタ（７０）が、個別にパッケージされたエミッタ（７８）を含む、請求項１または２に記載のシステム（１０）。
【請求項４】
前記エミッタ（７０）が、群（７９）としてパッケージされたエミッタを含み、前記群（７９）が、少なくとも１つの第１のエミッタ（７２）および少なくとも１つの第２のエミッタ（７４）を含む、請求項１〜３のいずれか一項に記載のシステム（１０）。
【請求項５】
前記第１のアレイ（６０）内の前記少なくとも１つの第１のエミッタ（７２）が、第１の電源供給ラインまたは制御ライン（１０２ａ）に接続されており、前記第１のアレイ（６０）内の前記少なくとも１つの第２のエミッタ（７４）が、第２の電源供給ラインまたは制御ライン（１０２ｂ）に接続されている、請求項１〜４のいずれか一項に記載のシステム（１０）。
【請求項６】
前記複数の照射モジュール（５０）が少なくとも１つの照射モジュール（５０ａ）を含み、該少なくとも１つの照射モジュール（５０ａ）が、前記第２の主要な面（５４）からまたは前記第２の主要な面（５４）を通して放射するよう配置された、可視波長および／またはＵＶ波長において放射可能な半導体エミッタ（７０）の第２のアレイ（８０）を更に含み、該半導体エミッタ（７０）の第２のアレイ（８）が、少なくとも第１のエミッタ（７２）および第２のエミッタ（７４）を含む、請求項１〜５のいずれか一項に記載のシステム（１０）。
【請求項７】
前記複数の照射モジュール（５０）の前記少なくとも１つの照射モジュール（５０ａ）が、導入および排出ポート（９４，９６）を有する冷却流体通路（９２）を内部に含む熱交換器（９０）を更に含み、該熱交換器（９０）が、前記第１のアレイ（６０）の前記エミッタ（７０）および前記第２のアレイ（８０）の前記エミッタ（７０）と熱的に接触している、請求項６記載のシステム（１０）。
【請求項８】
前記複数の照射モジュール（５０）の各々が、導入および排出ポート（９４）を有する冷却流体通路（９２）を内部に含む熱交換器（９６）を更に含み、該熱交換器（９６）が、前記第１のアレイ（６０）の前記エミッタ（７０）と熱的に接触している、請求項１〜５のいずれか一項に記載のシステム（１０）。
【請求項９】
前記エミッタ（７０）がＬＥＤである、請求項１〜８のいずれか一項に記載のシステム（１０）。
【請求項１０】
前記ＬＥＤが、前記流体モジュール（２０）の前記第１または第２の主要な面（２２、２４）の自由表面領域（２２Ｆ、２４Ｆ）に対して少なくとも４０ｍＷ／ｃｍ２を供給できる、請求項９記載のシステム（１０）。
【発明の詳細な説明】
【関連出願の相互参照】
【０００１】
本願は、合衆国法典第３５巻第１１９条に基づき、２０１４年３月２６日に出願された欧州特許出願第１４３０５４３３．６号による優先権を主張するものであり、その内容に依拠すると共に、その全体を参照して本明細書に組み込む。
【技術分野】
【０００２】
本開示は、流通式反応器、およびそれを用いて行われる流通式プロセスに関し、特に、モジュール式の、柔軟な、高スループットの流通式光化学反応器システムに関する。
【背景技術】
【０００３】
本発明者らおよび／または彼らの同僚は、以前に、化学反応を行う流通式反応器を開発した。これらの流通式反応器は、典型的には、多層ガラス構造体の形態をとり得る流体モジュールを用い得る。そのような流体モジュール２０の一実施形態が、図１に斜視図で示されている。図２および図３の断面図には、そのような流体モジュール２０の更なる実施形態の特定の特徴が示されている。図１〜図３に示されているタイプの流体モジュール２０は、一般的に、平面状の形状と、第１および第２の主要な面２２、２４とを有する（図１の斜視図では、表面２４はモジュール２０の下部にある）。概ね平面状の処理液層３０内に画成された一般的にミリメートル台またはミリメートル未満のチャネルである「微細チャネル」の内部を、反応物質または処理液が循環する。モジュール２０は、熱制御流体が内部を流れる２つの外側の平面状の熱制御流体層４０を更に含み、処理液層３０は、２つの熱制御流体層４０の間に位置する。
【０００４】
処理液導入および排出ポート３２は、処理液の供給および除去を可能にする（ポート３２の一方、この場合には排出ポートは、上向きのポート３２とは反対側の、下向きの主要な面２４にあるため、図１では見えない）。熱流体導入および排出ポート４２は、熱制御流体の供給および除去を可能にする。導入および排出ポート３２、４２は全て、第１および第２の主要な面のいずれか一方の１以上の縁部（図１の実施形態の場合には縁部２６）に位置し、導入および排出ポートを含まない自由表面領域２２Ｆ（および、図１では見えない下側の対応する自由表面領域２４Ｆ）を残す。
【０００５】
流体モジュール２０の様々なサイズによって、研究室規模から製造規模のプロセスへのスケールアップが可能である。所与の必要な流量に対して、十分な滞留時間を提供するために、特定の量の内部体積が必要である。必要に応じて合計の内部体積を増加させることは、反応器を構成するために複数の流体モジュール２０を直列に接続することによって提供される。従って、反応器は、典型的には、複数の流体モジュール２０で構成される。各流体モジュール２０は、予熱、予混合、混合、滞留時間の提供、クエンチ等の特定の機能を有し得る。ガラスは、ＵＶスペクトルおよび可視スペクトルにおける光化学の対象の波長に対して少なくとも部分的に透明であるので、モジュール２０がガラスで形成され得るならば、光化学は潜在的に有用な用途である。
【発明の概要】
【０００６】
本開示の実施形態は、ｉ）処理液が内部を流れる中心の平面状の処理液層と、ｉｉ）熱制御流体が内部を流れる２つの外側の平面状の熱制御流体層とを各々が有する複数の流体モジュールで構成されるモジュール式光化学反応器システムを含む。本システムは、複数の照射モジュールを更に含み、複数の照射モジュールの各々は、第１および第２の主要な面を有する平面状の形状を有し、該複数の照射モジュールの各々が、第１の主要な面からまたは第１の主要な面を通して放射するよう配置された、可視波長および／またはＵＶ波長において放射可能な半導体エミッタの少なくとも第１のアレイを含み、半導体エミッタの第１のアレイは、少なくとも、第１の中心波長において放射可能な第１のエミッタおよび第２の中心波長において放射可能な第２のエミッタを含み、第１および第２の中心波長は互いに異なる。
【０００７】
半導体エミッタ（望ましくはＬＥＤ）の使用は、反応の収率を高める可能性、または、より広いスペクトルを有する光源に存在する望ましくない波長によって促進され得る望ましくない副生成物の生成を低減する可能性を有する、はっきりと定められた波長を用いることを可能にする。中心波長が異なる少なくとも第１および第２のエミッタを設けることにより、２つの波長間での実験および最適化を容易にすることができると共に、２つ以上の波長の光による利益を得る反応の性能を高める可能性がある。
【０００８】
本開示のシステムから組み立てられる反応器は、柔軟に構成変更可能であると共にコンパクトでありながら、エミッタの熱的出力を反応物質または処理液から良好に隔離する。また、本システムおよび本システムから構成される反応器は、反応試験および特徴づけがより容易に達成されるように、反応器を分解せずに、照射波長を切り替える、またはより一般的には、照射のスペクトル成分を変える能力を提供する。
【０００９】
他の変形例および具体的な長所は、以下の説明で述べられると共に、以下の説明から自明である。上記の概要説明および以下の詳細説明は特定の実施形態を表すものであり、特許請求の範囲の性質および特徴の理解のための概観または枠組みを提供することを意図したものである。
【図面の簡単な説明】
【００１０】
【図１】本開示のシステムにおいて有用な流体モジュールの一実施形態の斜視図
【図２】本開示のシステムにおいて有用な流体モジュールの更なる実施形態の断面図
【図３】本開示のシステムにおいて有用な流体モジュールの更なる実施形態の断面図
【図４】本開示のシステムにおいて有用な照射モジュールの一実施形態の拡大組立て斜視図
【図５Ａ】本開示のシステムにおいて有用な照射モジュールの更なる実施形態の模式的な断面図
【図５Ｂ】本開示のシステムにおいて有用な照射モジュールの更なる実施形態の模式的な断面図
【図６】本開示のシステムにおいて有用な照射モジュールの支持フレームまたはコアの一実施形態の斜視図
【図７Ａ】本開示のシステムにおいて有用な照射モジュールのエミッタアレイの別の実施形態の模式的な平面図
【図７Ｂ】本開示のシステムにおいて有用な照射モジュールのエミッタアレイの別の実施形態の模式的な平面図
【図８】本開示のシステムの構成要素で構成された、部分的に組み立てられた反応器の一実施形態の斜視図
【図９】幾つかの追加の構成要素を含む、図８の反応器の斜視図
【発明を実施するための形態】
【００１１】
図９に斜視図で示されているモジュール式光化学反応器システム（１０）は、複数の流体モジュール（２０）を含み、各流体モジュール（２０）は、図１に示されているように、第１および第２の主要な面（２２、２４）を有する平面状の形状を有する。図１、並びに図２および図３に示されているように、複数の流体モジュール（２０）の各々は、処理液が内部を流れる中心の平面状の処理液層（３０）と、熱制御流体が内部を流れる２つの外側の平面状の熱制御流体層（４０）とを含む。処理液層（３０）は、２つの熱制御流体層（４０）の間に位置する。処理液層（３０）および２つの熱制御流体層（４０）は全て、ＵＶスペクトルおよび／または可視スペクトルにおける少なくとも幾つかの波長の放射に対して少なくとも部分的に透明である。流体モジュール（２０）の動作においては、例えば水またはエタノール等の略透明な熱制御流体が用いられるのが望ましい場合がある。
【００１２】
複数の流体モジュール（２０）の各々は、処理液を供給および除去するための処理液導入および排出ポート（３２）と、熱制御流体を供給および除去するための熱流体導入および排出ポート（４２と）を更に含む。導入および排出流体ポート（３２）は、１）第１および第２の主要な面（２２、２４）のいずれか一方の１以上の縁部（２６）、または、２）流体モジュール（２０）の第１および第２の主要な面（２２、２４）以外の表面（２８）に位置しており、いずれの場合にも、第１および第２の主要な面（２２、２４）に、導入および排出ポートを含まない自由表面領域（２２Ｆ、２４Ｆ）が残る。この自由表面領域（２２Ｆ、２４Ｆ）は、第１または第２の主要な面（２２、２４）のそれぞれの少なくとも５０％、望ましくは、少なくとも７５％で構成される。
【００１３】
図９に斜視図として示されているモジュール式光化学反応器システム（１０）は、図４の斜視図、並びに図５Ａおよび図５Ｂの断面図の実施形態に示されているもののような、複数の照射モジュール（５０）を更に含む。複数の照射モジュール（５０）の各々は、第１および第２の主要な面（５２，５４）を有する平面状の形状を有し、各照射モジュール（５０）は、第１の主要な面（５２）からまたは第１の主要な面（５２）を通して放射するよう配置された、可視波長および／またはＵＶ波長において放射可能な半導体エミッタ（７０）の少なくとも第１のアレイ（６０）を含む。更に、半導体エミッタ（７０）の第１のアレイ（６０）は、少なくとも、第１の中心波長において放射可能な第１のエミッタ（７２）および第２の中心波長において放射可能な第２のエミッタ（７４）を含み、第１および第２の中心波長は互いに異なる。
【００１４】
照射モジュールの一実施形態の更なる詳細が、図４の拡大斜視図に示されている。照射モジュール（５０）の支持フレームまたはコア（９０）は、照射モジュール５０に冷却流体を供給するための導入および排出ポート９４を含む。コア（９０）は、ガスケット（６４）および蓋（６６）と共に、図示されている順序で組み立てられて一体に固定された際に、エミッタアレイ（６０）のエミッタ（７０）を冷却するための熱交換器９６を構成する。エミッタ（７０）は、（例えば、はんだ付け、または他の取付け処理もしくは構造等によって）取付けシート（７１）に取り付けられ、この取付けシート（７１）が蓋（６６）に取り付けられる。或いは、図４の実施形態のような別個の蓋（６６）を用いないようにして、図５Ａおよび図５Ｂに断面図で示されている更なる実施形態のように、エミッタ（７０）用の取付けシート（７１）自体が、コア（９０）内の流体チャネルを覆う蓋として機能してもよい。光シールドまたはフレーム（９７）が、アレイ（６０）の側面を囲むように取り付けられ得ると共に、保護窓（９８）がシールド（９７）に取り付けられ得る。保護窓は、石英、ガラス、または他の任意の、望ましくは照射モジュール（５０）によって用いられる波長に対して透明な材料でできていてもよく、必要に応じて、照射モジュール（５０）によって与えられる照射を均一に分配する光拡散器として機能するように、粗面化された構造または類似の光学的特徴を含んでもよい。別の光学的な代替例として、窓（９８）およびフレーム（９７）が協働して、アレイ（６０）を覆う気密シールを構成してもよく、密閉された体積に、例えばアルゴン等の不活性ガス、または、例えば窒素等の低反応性ガスが充填されてもよい。これは、空気によって運ばれる何らかの薬品、または保護窓（９８）上またはその付近に別様で存在する何らかの薬品から、エミッタを保護する役割をする。
【００１５】
図５Ａおよび図５Ｂは、照射モジュール（５０）の更なる実施形態の模式的な断面図である。図５Ａで（図４よりも）より明確にわかるように、本開示による照射モジュール（５０）は、照射モジュール（５０）の互いに反対側にある第１および第２の主要な面（５２，５４）上に、（エミッタ７０の）第１のアレイ６０および（エミッタ７０の）第２のアレイ８０の両方を含むのが望ましい場合がある。単一のコア（９０）の両側にはそれぞれ、２つのアレイ（６０，８０）をそれぞれ支持するための表面があり得る。これらのアレイは、クリップまたはレッジ（６２）によって保持され得る。また、図５Ｂに概略を示すように、本開示のシステムは、図５Ａに示されているような２つのアレイ（６０，８０）ではなく、１つのみのアレイ（６０）を有する照射モジュール（５０）を含むのも望ましい。
【００１６】
図６は、コア（９０）の一実施形態の斜視図を示しており、コア（９０）は、エミッタアレイ（６０）または蓋（６６）のための支持面（９１）を含み、この支持面内に入るように、冷却流体が内部を流れる陥凹したチャネル９３がある。
【００１７】
図７Ａおよび図７Ｂは、例えば図４、図５Ａ、および図５Ｂに示されているもの等の照射モジュール（５０）のエミッタアレイ（６０）（および８０）の別の実施形態の模式的な平面図である。図７Ａの実施形態では、エミッタ７０は、個別にパッケージされたエミッタ（または個別にパッケージされたＬＥＤ）７８の形態であり、一方、図７Ｂの実施形態では、エミッタ７０は、少なくとも２つのタイプの（それぞれ異なるタイプ７２、７４、７６の）エミッタが共にパッケージされた群７９（例えば「マルチチップ」ＬＥＤ等）の形態である。両方の実施形態において、少なくとも第１のエミッタ（７２）および第２のエミッタ（７４）があり、第２のエミッタ（７４）は、第１のエミッタ（７２）の第１の中心波長とは異なる第２の中心波長を有する。必要に応じて、アレイ（６０）（または（８０））は、少なくとも、第１および第２の各中心波長とは異なる第３の中心波長において放射可能な第３のエミッタ（７６）を更に含み得る。また、４以上の異なるエミッタまたは異なるタイプのエミッタが用いられてもよい。また、グループ化されたエミッタ（即ち、エミッタの群）７９は、同じアレイ内で個々のエミッタとして用いられてもよい。
【００１８】
また、異なるタイプの数に関わらず、および、それらが一体にパッケージされているか否かに関わらず、様々な異なるタイプのエミッタ（７２、７４、７６）は、スイッチ、コントローラ、またはレシーバ１００によって、制御ラインおよび／または電源供給ライン（１０２ａ、１０２ｂ、１０２ｃ）（全体を１０２で示す）のそれぞれを介して、独立して制御可能であることが望ましい。同じ波長のエミッタで各々が構成されたエミッタの様々なサブアレイが、スイッチ、コントローラ、またはレシーバによって、独立して制御可能であるのが好ましい。１つのアレイ上の同じ波長または中心波長のエミッタは、集合的に制御されるのが望ましい。様々な波長に対する独立制御は、反応器またはいずれかの構成要素を分解する必要なしに、様々な波長を用いることを含む反応の特徴づけまたは他の実験もしくは反応の容易な制御を可能にする。
【００１９】
エミッタ（７０）はＬＥＤであるのが望ましい。一実施形態によれば、このアレイは、エミッタが取り付けられるプリント配線板を含む。更に、これらは、流体モジュール（２０）の第１または第２の主要な面（２２、２４）の自由表面領域（２２Ｆ、２４Ｆ）に対して、望ましくは少なくとも４０ｍＷ／ｃｍ２、より望ましくは少なくとも５０ｍＷ／ｃｍ２の均質な照射を供給できる。ＬＥＤは高出力ＬＥＤであり得、または、アレイ上のＬＥＤの密度は、所望の照射を達成するのに十分なものであり得る。所望の程度の照射の均質性は、アレイ上のＬＥＤの密度によって、または光拡散器を介して達成され得る。
【００２０】
図８および図９は、本開示のシステム（１０）が反応器（１２）として組み立てられ得る特定の方法の一実施形態を示す斜視図を示す。図８および図９において、流体モジュール（２０）および照射モジュール（５０）は、このケースでは梁の形態の反応器支持体またはマウント（１０４）に支持される。或いは、システムのメンテナンスを容易にするために、流体モジュール（２０）および照射モジュール（５０）は、２つの別々の支持体またはマウントに支持されてもよく、照射モジュール（５０）とそれらの支持体またはマウントとを、反応器内へとおよび反応器外へとスライドさせてもよい。これらの実施形態における照射モジュール（５０）は、両面の照射モジュール（５０ａ）と、片面の照射モジュール（５０ｂ）との両方を含む。図８には、流体モジュール２０を含まない反応器１２が示されている。図９は、照射モジュール（５０）の放射面の間の複数の流体モジュール（２０）の位置を示す。
【００２１】
システム（１０）で構成される反応器（１２）は、柔軟に構成変更可能であると共にコンパクトでありながら、エミッタの熱的出力を反応物質または処理液から良好に隔離する。その理由は、第１には、ランプ等の光源ではなく、エネルギー変換効率がかなり高い半導体エミッタ（例えばＬＥＤ等）を用いること、第２には、数百ワットもの抽出が可能な熱交換器（９６）を用いること、第３には、流体モジュール（２０）の処理液層（３０）の両側が、到達する入射照射が通る熱制御流体層（４０）によって囲まれていることにより、エミッタ（７０）によってまたはエミッタ（７０）において発生する熱からの有意な隔離を提供することである。また、システム（１０）によって構成される反応器（１２）は、熱交換器（９６）を用いることによって、ＬＥＤエミッタが低温（室温および流体モジュールの動作温度より低い温度）で動作するのを可能にし、その結果、放射の強度が高まると共に、ＬＥＤの寿命が増加する。
【００２２】
また、本システム、および本システムから構成される反応器は、反応試験および特徴づけがより容易に達成されるように、反応器を分解せずに、照射波長を切り替える、またはより一般的には、照射のスペクトル成分を変える能力を提供する。コンパクトでありながら、反応器構造または設計、および供給される放射に関して柔軟な流通式反応器において、光化学反応を行うことができるのは有利である。対象の光の波長は、主に３００〜４５０ｎｍの近ＵＶ光および紫色光であるが、他のＵＶ波長または可視波長も対象となり得る。
【００２３】
流体モジュール（２０）の両側から熱的制御層（４０）を介して照射される作用流体層（３０）を有することは、熱的隔離を設けるのを補助するのみならず、処理液に大量の照射が届き、流体モジュール（２０）の一方の主要な面のみを照射するのと比較して、処理チャネルの深さを通るより均一な透過を可能にする。
【００２４】
なお、所与の反応器における全ての流体モジュール（２０）が必ずしも照射を必要とするまたは照射による利益を得るわけではなく、従って、同じ反応器内の一部の流体モジュールは照射されず、他の一部の流体モジュールが照射されてもよい。換言すれば、照射光源は、流体モジュールの数から独立して、または流体モジュールの数と共に拡張可能である。
【００２５】
従って、装置を何ら変更せず、いかなるメンテナンスも行わずに、同じ照明の解決策を用いて、異なる種類の化学を行うことができる。これは、１つの単一波長に特定された装置ではない。
【００２６】
半導体光源からのスペクトル的により狭い光を用いることにより、化学をより良好に理解することができ、それに従って最適化できる。半導体光源の正確な波長は、より高い生成物選択性を得ることを可能にする。また、光源の寿命も長くなるはずである。
【００２７】
本明細書に開示された方法および／または装置は、一般的に、微細構造中の、多相混合流体を含む（および、固体も含み得る多相混合流体を含む流体または混合流体を含む）流体または混合流体の、混合、分離、抽出、結晶化、析出、または別様の処理を含む任意の処理を行う際に有用である。この処理は、物理的処理、有機、無機、または有機および無機の両方の種の相互変換を生じる処理として定義される化学反応を含み得るものであり、望ましくは、何らかの波長の光の存在を好む化学的、物理的、または生物学的な処理な反応または反応、即ち、光増感、（光開始ラジカル反応における）光開始、光活性化、光触媒性、または光合成等の光反応を含む。対象となり得る、光によって補助されるまたは光を好む反応としては、光異性化、転位、光還元、環化、２＋２環化付加、４＋２環化付加、４＋４環化付加、１，３−双極性環化付加、（環化を生じ得る）シグマトロピー転位、光酸化、保護基またはリンカーの光開裂、光ハロゲン化（光塩素化、光臭素化）、光スルホクロル化、光スルホキシド化、光重合、光ニトロソ化、光脱炭酸、プレビタミンＤの光合成、アゾ化合物の分解、ノリッシュ型反応、バートン型反応が挙げられるが、これらに限定されない。更に、本開示の方法および／または装置を用いて行われ得る反応としては、酸化、還元、置換、脱離、付加、配位子交換、金属交換、およびイオン交換が挙げられるが、これらに限定されない。より具体的には、本開示の方法および／または装置を用いて、重合、アルキル化、脱アルキル化、ニトロ化、過酸化、スルホキシド化、エポキシ化、アンモ酸化、水素化、脱水素化、有機金属反応、貴金属化学／均一触媒反応、カルボニル化、チオカルボニル化、アルコキシ化、ハロゲン化、脱ハロゲン化水素化、脱ハロゲン化、ヒドロホルミル化、炭酸化、脱炭酸化、アミノ化、アリール化、ペプチド結合、アルドール縮合、環化縮合、脱水素環化、エステル化、アミド化、複素環合成、脱水、アルコール分解、加水分解、アンモノリシス、エーテル化、酵素合成、ケタール化、鹸化、異性化、四級化、ホルミル化、相間移動反応、シリル化、ミトリル合成、リン酸化、オゾン分解、アジド化学、メタセシス、ヒドロシリル化、結合反応、および酵素反応であるがこれらに限定されない任意の反応が行われ得る。
【００２８】
上記の説明は、特許請求の範囲の性質および特徴の理解を容易にするための例示的な実施形態を提供するものである。特許請求の範囲の趣旨および範囲から逸脱することなく、これらの実施形態に対して様々な変形が行われ得ることが、当業者には自明であろう。
【００２９】
以下、本発明の好ましい実施形態を項分け記載する。
【００３０】
実施形態１
ｉ）中心の平面状の処理液層（３０）とｉｉ）熱制御流体が内部を流れる２つの外側の平面状の熱制御流体層（４０）とを各々が有する複数の流体モジュール（２０）と、
複数の照射モジュール（５０）と
を含むモジュール式光化学反応器システム（１０）であって、
前記複数の照射モジュール（５０）の各々が、第１および第２の主要な面（５２，５４）を有する平面状の形状を有し、前記複数の照射モジュール（５０）の各々が、前記第１の主要な面（５２）からまたは前記第１の主要な面（５２）を通して放射するよう配置された、可視波長および／またはＵＶ波長において放射可能な半導体エミッタ（７０）の少なくとも第１のアレイ（６０）を含み、該半導体エミッタ（７０）の第１のアレイ（６０）が、少なくとも、第１の中心波長において放射可能な第１のエミッタ（７２）および該第１の中心波長と異なる第２の中心波長において放射可能な第２のエミッタ（７４）を含む、モジュール式光化学反応器システム（１０）。
【００３１】
実施形態２
前記第１のアレイ（６０）が、少なくとも、前記第１および第２の各中心波長とは異なる第３の中心波長において放射可能な第３のエミッタ（７６）を更に含む、請求項１記載のシステム（１０）。
【００３２】
実施形態３
前記エミッタ（７０）が、個別にパッケージされたエミッタ（７８）を含む、実施形態１または２に記載のシステム（１０）。
【００３３】
実施形態４
前記エミッタ（７０）が、群（７９）としてパッケージされたエミッタを含み、前記群（７９）が、少なくとも１つの第１のエミッタ（７２）および少なくとも１つの第２のエミッタ（７４）を含む、実施形態１〜３のいずれか一つに記載のシステム（１０）。
【００３４】
実施形態５
前記第１のアレイ（６０）内の前記少なくとも１つの第１のエミッタ（７２）が、第１の電源供給ラインまたは制御ライン（１０２ａ）に接続されており、前記第１のアレイ（６０）内の前記少なくとも１つの第２のエミッタ（７４）が、第２の電源供給ラインまたは制御ライン（１０２ｂ）に接続されている、実施形態１〜４のいずれか一つに記載のシステム（１０）。
【００３５】
実施形態６
前記複数の照射モジュール（５０）が少なくとも１つの照射モジュール（５０ａ）を含み、該少なくとも１つの照射モジュール（５０ａ）が、前記第２の主要な面（５４）からまたは前記第２の主要な面（５４）を通して放射するよう配置された、可視波長および／またはＵＶ波長において放射可能な半導体エミッタ（７０）の第２のアレイ（８０）を更に含み、該半導体エミッタ（７０）の第２のアレイ（８）が、少なくとも第１のエミッタ（７２）および第２のエミッタ（７４）を含む、実施形態１〜５のいずれか一つに記載のシステム（１０）。
【００３６】
実施形態７
前記複数の照射モジュール（５０）の前記少なくとも１つの照射モジュール（５０ａ）が、導入および排出ポート（９４，９６）を有する冷却流体通路（９２）を内部に含む熱交換器（９０）を更に含み、該熱交換器（９０）が、前記第１のアレイ（６０）の前記エミッタ（７０）および前記第２のアレイ（８０）の前記エミッタ（７０）と熱的に接触している、実施形態６記載のシステム（１０）。
【００３７】
実施形態８
前記複数の照射モジュール（５０）の各々が、導入および排出ポート（９４）を有する冷却流体通路（９２）を内部に含む熱交換器（９６）を更に含み、該熱交換器（９６）が、前記第１のアレイ（６０）の前記エミッタ（７０）と熱的に接触している、実施形態１〜５のいずれか一つに記載のシステム（１０）。
【００３８】
実施形態９
前記エミッタ（７０）がＬＥＤである、実施形態１〜８のいずれか一つに記載のシステム（１０）。
【００３９】
実施形態１０
前記ＬＥＤが、前記流体モジュール（２０）の前記第１または第２の主要な面（２２、２４）の自由表面領域（２２Ｆ、２４Ｆ）に対して少なくとも４０ｍＷ／ｃｍ２を供給できる、実施形態９記載のシステム（１０）。
【符号の説明】
【００４０】
１０  モジュール式光化学反応器システム
２０  流体モジュール
２２Ｆ、２４Ｆ  自由表面領域
３０  処理液層
４０  熱制御流体層
５０  照射モジュール
５２  第１の主要な面
５４  第２の主要な面
６０  第１のアレイ
７０  半導体エミッタ
７２  第１のエミッタ
７４  第２のエミッタ
７６  第３のエミッタ
７８  個別にパッケージされたエミッタ
７９  群としてパッケージされたエミッタ
８０  第２のアレイ
９０  熱交換器
９２  冷却流体通路
１０２ａ  第１の電源供給ラインまたは制御ライン
１０２ｂ  第２の電源供給ラインまたは制御ライン
【図１】
0006680688.tif 000002
【図２】
0006680688.tif 000003
【図３】
0006680688.tif 000004
【図４】
0006680688.tif 000005
【図５Ａ】
0006680688.tif 000006
【図５Ｂ】
0006680688.tif 000007
【図６】
0006680688.tif 000008
【図７Ａ】
0006680688.tif 000009
【図７Ｂ】
0006680688.tif 000010
【図８】
0006680688.tif 000011
【図９】
0006680688.tif 000012